(57)【特許請求の範囲】
【請求項１】
テスト時に、電気構成素子を有する構成群を給電電圧に接続せずに、固有の電圧源を具備したテスト機器で、前記構成群を前記固有の電圧源に接続して、当該電気構成素子を有する構成群をテストする方法において、テスト機器は、テストすべき構成群の、それぞれの線路網に属する各コンタクト点と電気的に接触接続するために、全ての方向に運動可能な接触接続部材を有しており、該接触接続部材に、前記テストすべき構成群の前記線路網間の短絡テスト期間中及び構成素子テスト期間中、前記構成群のすべてのコンタクト点のうち、物理量の測定のために接触接続される必要がある当該コンタクト点の部分集合が接触接続され、前記各電気構成群上での前記短絡及びエラー状態の前記各構成素子の検出のために電気量が測定され、前記短絡及び構成素子テスト期間の開始時に、前記各群の前記各コンタクト点と順次連続して接触接続して、前記構成群の全ての線路網で、それぞれ、前記線路網に配属された基準電位に関して順次連続して測定され、各線路網の測定の際、抵抗−及び／又はキャパシタンス−及び／又はインダクタンス構成素子の各電気構成素子の構成群と、当該各構成素子を相互に接続する線路網の形式に応じて、３つの物理量である抵抗、キャパシタンス及びインダクタンスの各々が、前記各構成素子の１つ又は複数を有する線路網で、前記抵抗構成素子の抵抗は抵抗測定のやり方で測定され、前記キャパシタンス構成素子のキャパシタンスはキャパシタンス測定のやり方で測定され、前記インダクタンス構成素子のインダクタンスはインダクタンス測定のやり方で測定されることを特徴とする構成群をテストする方法。
【請求項２】
テスト時に給電電圧に接続せずにテスト機器で、電気構成素子を有する構成群をテストする方法において、テスト機器は、テストすべき構成群の、それぞれの線路網に属する各コンタクト点と電気的に接触接続するために、全ての方向に運動可能な接触接続部材を有しており、該接触接続部材に、前記テストすべき構成群の前記線路網間の短絡テスト期間中及び構成素子テスト期間中、物理量の測定のために接触接続される必要がある前記構成群のすべてのコンタクト点の部分集合が接触接続され、前記各電気構成群上での前記短絡及びエラー状態の前記各構成素子の検出のために電気量が測定され、前記短絡及び構成素子テスト期間の開始時に、前記各群の前記各コンタクト点と順次連続して接触接続して、前記構成群の全ての線路網で、それぞれ、前記線路網に配属された基準電位に関して順次連続して測定され、各線路網の測定の際、抵抗−及び／又はキャパシタンス−及び／又はインダクタンス構成素子の各電気構成素子の構成群と、当該各構成素子を相互に接続する線路網の形式に応じて、前記３つの物理量である抵抗、キャパシタンス及びインダクタンスの各々が、前記各構成部品の１つ又は複数を有する線路網で、先ず、前記抵抗構成素子の抵抗は抵抗測定のやり方で測定され、前記キャパシタンス構成素子のキャパシタンスはキャパシタンス測定のやり方で測定され、前記インダクタンス構成素子のインダクタンスはインダクタンス測定のやり方で測定され、続いて、全ての各コンタクト点の部分集合を補完的に接触接続して各線路網間で測定し、前記各線路網の内一方の線路網は、前記各線路網と当該の各線路網に配属された前記基準電位点との間で順次連続して測定される際の先行の測定時に、当該先行の測定時に測定された測定値が予期値の物理的に有意義な許容限界値よりも大きく偏移している場合に、前記予期値とは別の有意味な値が測定される線路網であり、他方の線路網は、前記構成群上の一方の線路網の隣りに設けられることを特徴とする構成群をテストする方法。
【請求項３】
全ての各コンタクト点の部分集合に接触接続して、各線路網で、線路網−基準電位点−測定を実行し、前記線路網は、当該線路網に配属された共通の基準電位点を有しており、従って、各測定時に、当該共通の基準電位点を固定的に接触接続することができる請求項１又は２記載の方法。
【請求項４】
線路網と当該線路網に配属された基準電位点との間での測定時に、前記線路網と前記所属の基準電位点との間にキャパシタンスしか設けず、キャパシタンス測定の他に付加的に高い絶縁性抵抗値も測定する請求項１から３迄の何れか１記載の方法。
【請求項５】
線路網と当該線路網に配属された基準電位点との間での測定時に、前記線路網と当該線路網に配属された基準電位点との間にキャパシタンスしか設けられていない容量性線路網で、短絡時には線路網の容量値が上回っている上側限界値と測定値とを比較して、それぞれ測定を１回実行する請求項１から４迄の何れか１記載の方法。
【請求項６】
線路網と当該線路網に配属された基準電位点との間での測定時に、前記線路網と当該線路網に配属された基準電位点との間にキャパシタンスしか設けられていない容量性線路網で、構成素子のエラー状態では線路網の容量値が下回っている下側限界値と測定値とを比較して、それぞれ測定を１回実行する請求項１から５迄の何れか１記載の方法。
【発明の詳細な説明】
【０００１】
本発明は、請求項１の上位概念に記載の電気構成群のテスト方法に関する。
【０００２】
電気構成群は、当該電気構成群のリリースの前にテストする必要がある。公知のテスト機器は、所謂フライングプローブテスタであり、このフライングプローブテスタで、テストされるべき電気構成群が給電電圧なしにテストされる。
【０００３】
このフライングプローブテスタは、テストされるべき電気構成群の接触接続点と電気的に接触接続するために、接触接続部材を有している。この接触接続部材は、テスト機器の名称が既に示しているように、テストされるべき電気構成群の上をテストプログラムにより制御されてあちこち「飛び回り（ｆｌｉｅｇｅｎ）」、順次連続して、テストされるべき電気構成群上の、それぞれの所定群の各コンタクト点に接触接続し、そのコンタクト点の電気量、例えば、抵抗、キャパシタンス、及びインダクタンスを測定する。その際、テストプログラムは、測定値を用いて、当該測定値の位置に依存して、各線路網間の短絡状態、並びに、テストされるべき電気構成群上に構成素子が誤って装着されていないか、又は、正確に接触接続されていないことを診断する。上述のような各過程は、所謂短絡及び構成素子テストの際に経過し、従って、後続の説明では、このように短絡及び構成素子テストと呼ぶことが屡々ある。
【０００４】
テスト中、以下リストアップして示すような個別テスト形式に分類することができる：
１．  短絡テスト
２．  構成素子テスト
３．  開放テスト、つまり、エラー状態の構成素子又は正確に接触接続されていない構成素子のテスト
別の実施例では、短絡及び構成素子テストに重点が置かれる。
【０００５】
テストのために、テスト機器により、所謂運動ステップを実行する必要がある。運動ステップとは、テスト機器で、接触接続されるべき群の各接触接続点に対する各接触接続素子を、テストされるべき電気構成群上に持っていき、接触接続するステップのことである。接触接続された後、テスト機器は、１つ以上の検査ステップを実行し、この検査ステップで、テスト機器は、１つ以上の上述の電気量を測定し、測定の位置に依存して評価する。
【０００６】
電気構成群の形式に応じて、電気構成群は、ステップ２００で、抵抗構成素子、キャパシタンス構成素子、インダクタンス構成素子を有しており、５００の線路網を有しており、この線路網によって、各構成素子が相互に接続されている。１つの線路網は、各構成素子間の接続部材としての、各個別構成素子に対する各導線も、構成素子内部で電気的に接続された全ての素子の構成素子ピンも有している。
【０００７】
更に、この電気構成群は、当該電気構成群上に設けられた線路網を有しており、その際、平均して、線路網は、それぞれ５つの隣り合った線路網を有しており、この線路網で、それぞれ短絡が発生することがある。
【０００８】
従来技術の短絡及び構成素子テスト方法では、確実に、短絡しないようにするために、全ての線路網間で、それぞれ、線路網につき、短絡の際に問題となる線路網全てで測定される。それに続いて、測定されて、構成素子テストが実行される。各測定のために、特に、短絡テスト期間中の各測定のために、固有の運動ステップが実行される。上述の、所定形式の電気構成群の例に関して言うと、この運動ステップは、短絡及び構成素子テスト用の各運動ステップのことである。つまり：
（５００ＬＮ）＊（５隣接ＬＮ）＝２５００短絡テスト
２００構成素子                ＝２００素子テスト
但し、ＬＮは：線路網のことである。
【０００９】
フライングプローブテスタによって実行すべき運動ステップは、従って、２７００運動ステップにもなる。
【００１０】
接触接続部材の機械的な運動によって、フライングプローブテスタは、特に高速ではない。それにも拘わらず、比較的少ない部材数で構成された電気構成群は、この短絡及び構成素子テストを行うのに良好に適している。フライングプローブテスタは、比較的高速であり、簡単にプログラミングすることができ、従って、この種類の電気構成群にとっては価値がある。
刊行物、米国特許第００６８０８号明細書からは、装着されていない構成群用の検査方法が公知であり、この方法では、検査のために、フライングプローブテスタが使用されている。構成群の主検査は、各個別線路網間の容量測定を介して行われる。各測定が予期していない値を示す場合、補完的な抵抗測定が実行される。この公知の検査方法を以てしては、比較的少ない検査ステップで、任意に装着された構成群を検査することはできない。
刊行物、日本国公開特許第６１−１８０１５３号からは、装着された構成群の検査用の検査方法が公知である。検査は、何れにせよ、フライングプローブテスタによって行われない。更に、そこで検査すべき構成群は、測定可能な抵抗を有する線路網しか有していない。容量性及び／又は誘導性の測定は、ここでは考慮されていない。従って、ここに示されている公知技術は、抵抗網の検査に限定される。比較的少ない検査ステップで、任意に装着された構成群を検査することは、この従来技術では不可能である。
【００１１】
本発明の課題は、従って、冒頭に記載した形式の方法に基づいて、完全に短絡しないように維持しつつ、任意に装着された各電気構成群の短絡及び構成素子テストの際に運動ステップの数を低減することにある。
【００１２】
この課題は、特許請求の範囲請求項１記載の特徴部の要件によって解決される。
【００１３】
それによると、短絡テスト時の運動ステップの回数は、単に、既存の線路網の数に限定される。この運動ステップによりエラー状態が発見されない場合、それにより、自動的に総体的に、短絡状態はないとすることができる。短絡状態でないことは、かつては、それぞれ隣り合った線路網間を全て測定することによってしか確認できなかった。いくつかの（ｐａａｒ）運動ステップに限定する理由は、それぞれの個別線路網での測定の際に、既存のアース基準点乃至それぞれ所属の基準電位に関して得られた電気量を用いて短絡状態についての情報を得ることができることにある。更に、この測定の機会の際、付加的な運動ステップなしで、所定範囲内の構成素子で、直ぐに、又は、僅かな付加的な測定時間の別の検査ステップによってだけ、例えば、所定の抵抗値についての検査の他に、所定のキャパシタンス値についての検査も一緒にテストされる。従って、この各情報を得るために、それぞれ固有の運動ステップを必要としない。これは、特別なエラー状態の場合に、このエラーを診断するのに初めて必要である。製造時には高い程度の製造品質であるとすることができるので、そのような付加的な測定は滅多に必要ない。しかも、付加的な測定は、従来技術の短絡テスト方法では、測定プログラムの構成部分であった。短絡及び構成部品テストの本発明の方法の利点は、アース／電位に関するそれぞれの線路網での個別の測定の処理の際、総体的に最適な経路を維持することができ、即ち、総体的に最短経路区間を含む経路を維持することができる点にある。
【００１４】
本発明の有利な構成は、従属請求項の対象である。
【００１５】
それによると、特別なエラー状態の際に補完される、それぞれ独自の運動ステップを有する検査ステップを必要とすることがある。しかし、これは、エラー状態が生じている線路網に限定することがある。従って、対の補完検査及び運動ステップしか実行する必要がない。
【００１６】
常に、同じ基準点（アース／電位）で検査される状態の有する利点は、各検査全てに対して唯一の接触接続部材を、この基準点に関して使用することができる点にある。即ち、この基準点に配属された接触接続部材を、種々の測定の間、運動ステップなしに基準点に保持することができる。
【００１７】
個別検査ステップを実行するために、それ自体公知の簡単な、抵抗測定、キャパシタンス測定、及び、インダクタンス測定方法で十分であるので、従来技術に較べて、測定に高いコストを必要としない。
【００１８】
以下、本発明について、図示の実施例を用いて詳細に説明する。その際：
図１は、短絡接続部が示された、それぞれ抵抗だけで構成された線路網の対を示し、
図２は、短絡接続部が示された、それぞれコンデンサだけで構成された線路網の対を示す。
【００１９】
図１には、２つの抵抗線路網ＲＮ１及びＲＮ２が示されている。抵抗線路網ＲＮ１は、例えば、等価回路として唯一の抵抗Ｒ１を有しており、抵抗線路網ＲＮ２は、同様に等価回路として唯一の抵抗Ｒ２を有している。その際、抵抗Ｒ１及びＲ２の値は同様に大きく、それぞれ１００Ωである。
【００２０】
抵抗Ｒ１及びＲ２は、アースに接続されている。しかし、ここでは、基準点として使用されるアース点は、所定電位の基準点にしてもよいものとする。従って、ここでの説明では、この点をアース／電位とも繰り返し呼んでいる。
【００２１】
両線路網ＲＮ１及びＲＮ２は、そのアース点に対向する側が短絡している場合、両線路網で測定した際、それぞれ抵抗５０Ωが測定される。
【００２２】
短絡部は、図１では、両線路網間に破線によって示した接続線で示されている。線路網ＲＮ１での測定の際、点Ｐ１及びＰ２で行われる。線路網ＲＮ２での測定の際、点Ｐ２及びＰ４で行われる。
【００２３】
テストされるべき電子構成群の構造は分かっていることが前提されているので、相応の測定の際、どの位置で、どの値が得られるのかは分かっているものとする。しかし、この場合には、１００Ωでなくて、５０Ωしか測定されないので、それにより、線路網ＲＮ１及びＲＮ２の間が短絡していることが分かる。
【００２４】
両線路網ＲＮ１及びＲＮ２の抵抗Ｒ１及びＲ２が、種々異なる抵抗値を有している場合、高抵抗線路網での短絡によって、それにより生じる変化は一層強くなる。各抵抗値の差異が大きい場合、例えば、線路網ＲＮ１の抵抗Ｒ１の抵抗値が１００Ωであって、線路網ＲＮ２の抵抗Ｒ２が１０Ωである場合、高オーム抵抗Ｒ２の線路網ＲＮ２でのみ、有意義な変化を測定することができる。それにも拘わらず、両線路網を診断することができるために、この場合、付加的に、隣り合った線路網のテストを行う公知の方法、即ち、当該の隣り合った線路網間で短絡測定を行うことができる。
【００２５】
図２には、アース／電位の抵抗を有していない線路網ＫＮ１及びＫＮ２を有する実施例が図示されている。アース／電位の抵抗のない線路網ＫＮ１及びＫＮ２は、測定技術上、網キャパシタンスＣ１及びＣ２の測定により検出される。網キャパシタンスＣ１及びＣ２は、以下の式から得られる：
ＣＮ＝Ｉ＊Ｃ′＋ＰＩＮＺＡＨＬ＊Ｃｐｉｎ
但し、
Ｉは、線路長
Ｃ′は、長さ単位毎のキャパシタンス（ｐｆ／ｃｍ）
ＰＩＮＺＡＨＬは、線路網の電気構成素子の個数
Ｃｐｉｎは、構成素子の入出力側のキャパシタンス
Ｎは、線路網乃至網キャパシタンスの数
この実施例では、線路網ＫＮ１の網キャパシタンスＣ１は３０ｐＦであり、線路網ＫＮ２の網キャパシタンスＣ２は、４０ｐＦである。
【００２６】
ここでは、図２に破線によって示された、アース／電位接続側と反対側の線路網ＫＮ１とＫＮ２との間の接続線によって短絡状態を示すとすれば、両線路網ＫＮ１及びＫＮ２で、キャパシタンス７０ｐＦが測定される。しかし、線路網測定時に３０ｐＦ及び４０ｐＦが予期されるので、線路網ＫＮ１及びＫＮ２の間が短絡していることが明らかである。
【００２７】
例えば、抵抗を有する線路網とキャパシタンスを有する線路網との間の短絡状態を検出するためには、実際の接触接続部を外さずに、キャパシタンス測定の他に同時に高オームテストも実行することができる。このテストの際、例えば、抵抗値＞１００ｋΩが検出された場合、そのことから、他の線路網に対して短絡していないということを導出することができる。
【００２８】
従って、要するに、前述の方法を、フライングプローブテスタでの短絡及び構成素子テストに適用する際、以下のように言うことができる。
【００２９】
ａ）運動ステップの回数が低減される。例えば、テストされるべき、５００の線路網を有していて、平均して、それぞれ５つの隣り合った線路網を有する電気構成群では、エラーのない場合には、２５００運動ステップの代わりに僅か５００運動ステップしか必要としない。
【００３０】
ｂ）テスト機器の接触接続部材の運動時に比較的短い経路が得られる。線路網の列順序が幾何学的に最適な場合、２つの線路網間に平均的な距離１〜２ｃｍがある。
【００３１】
ｃ）テスト機器の接触接続部材を一層良く利用することができる。例えば、４つの接触接続部材を有するテスト機器の場合、本発明の方法によると、同時に３つの接触接続部材を使用することができる。接触接続部材は、他のアース／電位に対して共通に接触接続する。隣り合った２つの線路網間でテストを実行する際、同時に２つの接触接続部材対で測定が実行され、その際、アース／電位用の接触接続部材を同時に一方及び他方の測定用に使用することができる。
【００３２】
ｄ）抵抗を有する線路網でのテストは、２重の作用を有する。この線路網でのテストを用いて、同時に、線路網の抵抗値及び短絡していないことを検査することができる。そのために、構成素子テストでのテストステップの数を、アース／電位との接続部を有していない構成素子の個数に低減することができる。
【００３３】
場合によっては、コスト高である反面、一般的には常に、隣り合った線路網を特定するのに妥協せざるを得なかったが、最早その必要はない。と言うのは、各線路網とそれぞれ他方の全ての線路網とが短絡していないということを、前述の短絡及び構成素子テストを用いても確認することができる。
【００３４】
テスト時間をあまり延長せずに、各線路網で、所謂ダイオードテストを実行することができる。ダイオードテストは、順方向でのテストである。
【００３５】
線路網のテスト時間は、例えば、１０ｍｓである。接触接続部材の運動時間は、例えば、１００〜２００ｍｓ／線路網の領域内にある。それ故、特に有利には、運動ステップを節約することができる。付加的に検査ステップが必要とされる場合、この検査ステップは、運動時間に較べて実際上重要ではない。
【００３６】
エラー状態の構成素子を識別するための前提は、別の構成素子と接続されていない、少なくとも１つの、構成素子との接続領域があるということである。
【００３７】
短絡していないことのテストのために、容量性の線路網で上方の限界が監視される。短絡した場合には、この限界が超過される。下側の限界もテストされる場合、比較的高いピンキャパシタンス、例えば、１０ｐＦのエラー状態の構成素子、並びに、線路網キャパシタンスに著しい作用を及ぼす遮断状態もカバーすることができる。
【図面の簡単な説明】
【図１】短絡接続部が示された、それぞれ抵抗だけで構成された線路網の対を示す図。
【図２】短絡接続部が示された、それぞれコンデンサだけで構成された線路網の対を示す図。
【図１】
0003566205.tif 000002
【図２】
0003566205.tif 000003